(57)【特許請求の範囲】
【請求項１】
セキュリティ用通信装置であって、
取り付け面に固定される取り付け金具と、前記取り付け金具に直接的または間接的に取り付けられる本体部と、前記本体部を前記取り付け金具に間接的に取り付けるときに使用され、自身を介して前記本体部を前記取り付け金具に取り付けるための中間ブラケット部材と、を備え、
前記取り付け金具は、前記中間ブラケット部材と係合する金具側係合部を含み、
前記本体部は、通信機能を有する内部装置を収容する内部装置収容部を含み、
前記中間ブラケット部材は、
前記中間ブラケット部材を前記取り付け金具に取り付けたときに、前記金具側係合部と係合するブラケット側係合部と、
前記本体部を前記中間ブラケット部材に取り付けたときに、前記セキュリティ用通信装置の外部から前記セキュリティ用通信装置の内部に引き込まれて前記本体部に収容されている前記内部装置に接続される配線を収容するためのブラケット側配線収容部と、を含み、
前記ブラケット側係合部は、先端部に係止爪が形成された板バネ部と、前記係止爪と反対方向に突出するように前記板バネ部に形成されたレバー部とを備えており、
前記板バネ部は、前記係止爪が前記金具側係合部と係合するように構成されており、
前記レバー部は、前記係止爪が前記金具側係合部と係合しているときに、第１の方向に押圧されると前記板バネ部を反らせて前記係止爪と前記金具側係合部との係合を解除するように構成されており、前記レバー部の前記第１の方向側に前記ブラケット側配線収容部が位置するように配置され、前記ブラケット側配線収容部に配線が収容されたときに、前記配線と面するように構成されている、セキュリティ用通信装置。
【請求項２】
請求項１に記載のセキュリティ用通信装置であって、
前記中間ブラケット部材は、前記ブラケット側係合部が形成されたブラケット側主面部と、前記ブラケット側主面部の外周に形成された枠状のブラケット側外周面部とを備えており、
前記レバー部は、前記第１の方向の反対方向側が前記ブラケット側外周面部と対向しており、前記レバー部と、前記対向する前記ブラケット側外周面部との間の距離が前記配線の幅よりも小さい、セキュリティ用通信装置。
【請求項３】
請求項２に記載のセキュリティ用通信装置であって、
前記取り付け金具は、略矩形形状の金具側主面部と、前記本体部または前記中間ブラケット部材と係合するための一対の金具側フック部を備えており、
前記金具側係合部は、前記金具側主面部の端辺部に形成されており、
前記一対の金具側フック部は、前記金具側主面部の４つの端辺部のうち、前記金具側係合部が形成されている端辺部と直交する一対の端辺部にそれぞれ形成されており、
前記中間ブラケット部材は、前記一対の金具側フック部と係合する一対のブラケット側フック係合部を備えており、
前記ブラケット側係合部は、略矩形形状の前記ブラケット側主面部の端辺部に形成され、
前記一対のブラケット側フック係合部は、前記ブラケット側主面部の４つの端辺部のうち、前記ブラケット側係合部が形成されている端辺部と直交する一対の端辺部にそれぞれ形成されている、セキュリティ用通信装置。
【請求項４】
請求項３に記載のセキュリティ用通信装置であって、
前記中間ブラケット部材および前記取り付け金具は、前記ブラケット側フック係合部と前記金具側フック部との係合を解除する方向が前記第１の方向となっている、セキュリティ用通信装置。
【請求項５】
請求項２から請求項４までのいずれか一項に記載のセキュリティ用通信装置であって、
前記取り付け金具は、ネジと螺合する金具側雌ネジ部を備え、
前記中間ブラケット部材は、前記中間ブラケット部材を前記取り付け金具に取り付けたときに、前記金具側雌ネジ部と対向する位置にブラケット側挿通孔を備えており、
前記本体部は、
前記本体部を前記取り付け金具に取り付けたときに、前記金具側雌ネジ部と対向し、前記本体部を前記中間ブラケット部材に取り付けたときに、前記ブラケット側挿通孔と対向する本体側挿通孔を備えており、
前記本体側挿通孔に挿通されたネジが前記金具側雌ネジ部に螺合されることによって、前記金具側係合部を用いずに前記取り付け金具に固定される、セキュリティ用通信装置。
【請求項６】
請求項５に記載のセキュリティ用通信装置であって、
前記本体部は、前記本体側挿通孔が形成された本体側ケースを備えており、
前記本体部を前記中間ブラケット部材に取り付けるときの取り付け方向から見たときの前記ブラケット側外周面部の外形は、前記本体側ケースを前記取り付け方向から見たときの外形とほぼ同じである、セキュリティ用通信装置。
【請求項７】
請求項６に記載のセキュリティ用通信装置であって、
前記ブラケット側主面部は、略矩形形状の外形を備えており、
前記ブラケット側外周面部は、前記ブラケット側主面部の４つの端辺部にそれぞれ対応した４つのブラケット側平面部を備えており、
前記ブラケット側配線収容部は、前記４つのブラケット側平面部のそれぞれに接している、セキュリティ用通信装置。
【請求項８】
請求項６または請求項７に記載のセキュリティ用通信装置であって、
前記本体側ケースは、さらに、
前記本体側挿通孔が形成された略矩形形状の本体側主面部と、
前記本体側主面部の外周に形成された枠状の本体側外周面部であって、前記本体側主面部の４つの端辺部にそれぞれ対応した４つの本体側平面部を含む本体側外周面部と、
前記本体側平面部のうちの１つと前記内部装置収容部との間に形成され、前記本体側主面部の端辺部に沿って延伸した形状を有し、前記セキュリティ用通信装置の外部から前記セキュリティ用通信装置の内部に引き込まれて前記内部装置収容部に収容されている前記内部装置に接続される配線を収容するための本体側配線収容部と、を備えているセキュリティ用通信装置。
【請求項９】
請求項８に記載のセキュリティ用通信装置であって、
前記ブラケット側外周面部には、前記セキュリティ用通信装置の外部から前記ブラケット側配線収容部に配線を引き込むための切り欠き部を形成するための目地状の溝が形成されており、
前記本体側外周面部には、前記セキュリティ用通信装置の外部から前記本体側配線収容部に配線を引き込むための切り欠き部を形成するための目地状の溝が形成されている、セキュリティ用通信装置。
【発明の詳細な説明】
【技術分野】
【０００１】
本発明は、壁面等に取り付けられるセキュリティ用通信装置に関する。
【背景技術】
【０００２】
従来から、家庭内、オフィス内、工場内等において防犯等の目的で使用されるセキュリティ用通信装置が知られている（引用文献１）。このセキュリティ用通信装置は、例えば、建物の壁面に取り付けられ、有線または無線の電話回線や、ＬＡＮ及びインターネット等の通信回線を介して建物内の異常を警備会社に通報する。このセキュリティ用通信装置に関して、取り付け金具を介して壁面に取り付けられるものが知られている。また、壁面を這わせた電源用や通信用等の配線を内部に引き込んだものが知られている。
【先行技術文献】
【特許文献】
【０００３】
【特許文献１】特開２０１１−１７５５９７号公報
【発明の概要】
【発明が解決しようとする課題】
【０００４】
このセキュリティ用通信装置は、装置の破壊や改変などを防ぐため、建物への侵入者等にその存在を気がつかれないように、できるだけ目立たなくすることが好ましい。そのため、セキュリティ用通信装置は、装置全体の大きさを小型化することが望まれていた。一方、小型化されたセキュリティ用通信装置は、装置の内部が狭いため、電源用配線等の配線を装置の内部に収容することが困難であった。従来から、セキュリティ用通信装置を設置する際に、装置に外部配線を引き込むと、引き込んだ配線の長さが余ることがあった。小型化されたセキュリティ用通信装置は、余った配線を装置の内部に収容することができないため、装置の周囲において配線が余った状態となる場合があった。この場合、セキュリティ用通信装置が小型化されているにも関わらず、装置周辺の余った配線によって、結果的に装置が目立ってしまうという問題があった。また、装置周辺の美観を損ねることになった。
【０００５】
そこで、本願発明者らは、セキュリティ用通信装置の本体部を壁面等に取り付ける際に、余った外部配線を収容可能な中間ブラケット部材を選択的に使用する構成を考案した。具体的には、装置周辺に配線が余る場合には、本体部と壁面部との間に中間ブラケット部材を介在させ、この中間ブラケット部材に外部配線を収容することによって、セキュリティ用通信装置を目立たなくすることを考案した。しかし、取り付け場所の状況に応じて中間ブラケット部材を選択的に使用する構成とした場合、セキュリティ用通信装置を壁面等に取り付ける際に使用するネジの種類や数が中間ブラケット部材を使用する場合と使用しない場合とで異なることになり、取り付けの作業性が低下する問題を発見した。また、使用されなかったネジが余って不要な資材が発生する問題を発見した。
【課題を解決するための手段】
【０００６】
本発明は、上述の課題の少なくとも一部を解決するためになされたものであり、以下の形態として実現することが可能である。
【０００７】
（１）本発明の一形態によれば、セキュリティ用通信装置が提供される。このセキュリティ用通信装置は、取り付け面に固定される取り付け金具と、前記取り付け金具に直接的または間接的に取り付けられる本体部と、前記本体部を前記取り付け金具に間接的に取り付けるときに使用され、自身を介して前記本体部を前記取り付け金具に取り付けるための中間ブラケット部材と、を備え、前記取り付け金具は、前記中間ブラケット部材と係合する金具側係合部を含み、前記本体部は、通信機能を有する内部装置を収容する内部装置収容部を含み、前記中間ブラケット部材は、前記中間ブラケット部材を前記取り付け金具に取り付けたときに、前記金具側係合部と係合するブラケット側係合部と、前記本体部を前記中間ブラケット部材に取り付けたときに、前記セキュリティ用通信装置の外部から前記セキュリティ用通信装置の内部に引き込まれて前記本体部に収容されている前記内部装置に接続される配線を収容するためのブラケット側配線収容部と、を含み、前記ブラケット側係合部は、先端部に係止爪が形成された板バネ部と、前記係止爪と反対方向に突出するように前記板バネ部に形成されたレバー部とを備えており、前記板バネ部は、前記係止爪が前記金具側係合部と係合するように構成されており、前記レバー部は、前記係止爪が前記金具側係合部と係合しているときに、第１の方向に押圧されると前記板バネ部を反らせて前記係止爪と前記金具側係合部との係合を解除するように構成されており、前記レバー部の前記第１の方向側に前記ブラケット側配線収容部が位置するように配置され、前記ブラケット側配線収容部に配線が収容されたときに、前記配線と面するように構成されていることを特徴としている。
【０００８】
この構成によれば、建物への侵入者等にその存在を気がつかれないように、セキュリティ用通信装置をより目立たなくすることができる。具体的には、この構成によれば、セキュリティ用通信装置に外部配線を引き込んだ際に装置の周囲において配線の長さが余らなかった場合、または、目立たない程度に長さが余る場合には、中間ブラケット部材を使用せずにセキュリティ用通信装置の本体部を直接的に取り付け面に固定できる。そのため、装置全体の大きさを抑制することができる。一方、セキュリティ用通信装置に外部配線を引き込んだ際に装置の周囲において配線の長さが目立つ程度に余る場合には、中間ブラケット部材を使用することによって、中間ブラケット部材の内部の配線収容部に余った配線を収容することができる。これにより、装置周辺の余った配線によって装置が目立つようになることを抑制することができる。また、この構成によれば、選択的に中間ブラケット部材を使用してセキュリティ用通信装置の本体部を取り付け面に固定することができるため、取り付け場所の状況に応じてより目立たない構成を選択することができる。
【０００９】
また、この構成によれば、ブラケット側係合部の係止爪を金具側係合部に係合させることによって、中間ブラケット部材を取り付け金具に取り付けることができるため、セキュリティ用通信装置を壁面等に取り付ける際に使用するネジの種類や数が中間ブラケット部材を使用する場合と使用しない場合とで変わらないようにすることができる。よって、この構成によれば、取り付け作業性の向上を図ることができ、また、使用されなかったネジが余って不要な資材が発生しにくくすることができる。さらに、この構成によれば、板バネ部には、係止爪と反対方向に突出するようにレバー部が形成されているため、レバー部を第１の方向に押圧することによって、係止爪と金具側係合部との係合を容易に解除することができる。一方、本願発明者らは、レバー部が板バネ部から突出していると、ブラケット側配線収容部に収容される配線がレバー部を押圧して、係止爪と金具側係合部との係合が解除される問題を発見した。この問題はセキュリティ用通信装置の固有の問題と関連する。具体的には、セキュリティ用通信装置は目立たなくする必要があるため、中間ブラケット部材は小型化される。これによりブラケット側配線収容部も小さくなるため、余った配線はブラケット側配線収容部に押し込められる。一方、中間ブラケット部材を小型化するためには、ブラケット側配線収容部とレバー部とを近接させる必要がある。このことから、中間ブラケット部材に設けられるレバー部は、ブラケット側配線収容部に収容された配線によって解除方向に押圧されやすく、例えば、取付け時において、上記係合の意図しない解除が生じやすい。そのため、本願発明者らは、レバー部の解除方向側にブラケット側配線収容部が位置するようにレバー部を配置するとともに、ブラケット側配線収容部に配線が収容されたときに、レバー部が収容された配線と面するように構成することを見出した。この構成によれば、ブラケット側配線収容部に収容された配線によって、レバー部が解除方向に押圧されることを抑制できる。さらに、この構成によれば、ブラケット側配線収容部に収容された配線によって、レバー部が解除方向と反対の方向に押圧されるため、セキュリティ用通信装置の取り付け後に、セキュリティ用通信装置を外れにくくすることができる。
【００１０】
（２）上記形態のセキュリティ用通信装置において、前記中間ブラケット部材は、前記ブラケット側係合部が形成されたブラケット側主面部と、前記ブラケット側主面部の外周に形成された枠状のブラケット側外周面部とを備えており、前記レバー部は、前記第１の方向の反対方向側が前記ブラケット側外周面部と対向しており、前記レバー部と、前記対向する前記ブラケット側外周面部との間の距離が前記配線の幅よりも小さくなるように構成されていてもよい。
【００１１】
この構成によれば、ブラケット側外周面部とレバー部との間に配線が入り込むことを抑制できる。これにより、上記の間に入り込んだ配線がレバー部を解除方向である第１の方向に押圧することを抑制できる。
【００１２】
（３）上記形態のセキュリティ用通信装置において、前記取り付け金具は、略矩形形状の金具側主面部と、前記本体部または前記中間ブラケット部材と係合するための一対の金具側フック部を備えており、前記金具側係合部は、前記金具側主面部の端辺部に形成されており、前記一対の金具側フック部は、前記金具側主面部の４つの端辺部のうち、前記金具側係合部が形成されている端辺部と直交する一対の端辺部にそれぞれ形成されており、前記中間ブラケット部材は、前記一対の金具側フック部と係合する一対のブラケット側フック係合部を備えており、前記ブラケット側係合部は、略矩形形状の前記ブラケット側主面部の端辺部に形成され、前記一対のブラケット側フック係合部は、前記ブラケット側主面部の４つの端辺部のうち、前記ブラケット側係合部が形成されている端辺部と直交する一対の端辺部にそれぞれ形成されていてもよい。
【００１３】
この構成によれば、金具側係合部とブラケット側係合部との間の係合位置、および、取り付け金具の一対の金具側フック部と一対のブラケット側フック係合部との間の２つの係合位置が、金具側主面部およびブラケット側主面部のそれぞれにおいて、互いに異なる端辺部に形成される。これにより、取り付け金具と中間ブラケット部材とを互いに直線状に並ばない３箇所で固定することができるとともに、この３箇所の互いの距離を大きくすることができ、取り付け金具と中間ブラケット部材との間の固定をより安定化させることができる。また、この構成によれば、中間ブラケット部材の内部空間を大きくすることができ、ブラケット側配線収容部のサイズを確保した上で、外形を小さく、より目立ちにくくすることができる。
【００１４】
（４）上記形態のセキュリティ用通信装置において、前記中間ブラケット部材および前記取り付け金具は、前記ブラケット側フック係合部と前記金具側フック部との係合を解除する方向が前記第１の方向となっていてもよい。
【００１５】
この構成によれば、レバー部の解除方向と、ブラケット側フック係合部と金具側フック部との係合の解除方向が同じ方向となる。そのため、レバー部の解除動作と中間ブラケット部材の取り付け金具からの取り外し動作を一回の動作でおこなうことができる。よって、取り付けの作業性の向上を図ることができる。
【００１６】
（５）上記形態のセキュリティ用通信装置において、前記取り付け金具は、ネジと螺合する金具側雌ネジ部を備え、前記中間ブラケット部材は、前記中間ブラケット部材を前記取り付け金具に取り付けたときに、前記金具側雌ネジ部と対向する位置にブラケット側挿通孔を備えており、前記本体部は、前記本体部を前記取り付け金具に取り付けたときに、前記金具側雌ネジ部と対向し、前記本体部を前記中間ブラケット部材に取り付けたときに、前記ブラケット側挿通孔と対向する本体側挿通孔を備えており、前記本体側挿通孔に挿通されたネジが前記金具側雌ネジ部に螺合されることによって、前記金具側係合部を用いずに前記取り付け金具に固定されてもよい。
【００１７】
この構成によれば、本体部を直接的に取り付け金具に取り付ける取り付け方法と、中間ブラケットを介して本体部を取り付け金具に取り付ける取り付け方法とを同様にすることができる。また、取り付けに使用するネジの数を同じにすることができる。具体的には、この構成によれば、本体部を直接的に取り付け金具に取り付けるときには、中間ブラケット部材を取り付け金具に取り付ける場合と異なり、金具側係合部を用いずに、本体側挿通孔に挿通されたネジを金具側雌ネジ部に螺合させて固定する。一方、中間ブラケット部材を介して本体部を取り付け金具に取り付ける場合には、本体側挿通孔およびブラケット側挿通孔に挿通されたネジを金具側雌ネジ部に螺合させて固定する。このように、本体部を取り付け金具に取り付けるとき、中間ブラケット部材を介す場合と、介さない場合のいずれの場合であっても、本体側挿通孔に挿通されたネジを金具側雌ネジ部に螺合させて固定するため、中間ブラケット部材を使用する場合と、使用しない場合とでネジの使用数を同じにすることができ、不要なネジの発生を抑制できる。また、本体部を直接的に取り付け金具に取り付ける取り付け方法を、中間ブラケット部材を介して本体部を取り付け金具に取り付ける取り付け方法と同様となるため、取り付けの作業性の向上を図ることができる。
【００１８】
（６）上記形態のセキュリティ用通信装置において、前記本体部は、前記本体側挿通孔が形成された本体側ケースを備えており、前記本体部を前記中間ブラケット部材に取り付けるときの取り付け方向から見たときの前記ブラケット側外周面部の外形は、前記本体側ケースを前記取り付け方向から見たときの外形とほぼ同じであってもよい。
【００１９】
この構成によれば、本体部を中間ブラケット部材に取り付けるときの取り付け方向から見たときのセキュリティ用無線装置全体の大きさを抑制することができる。よって、セキュリティ用無線装置をより目立たなくすることができる。
【００２０】
（７）上記形態のセキュリティ用通信装置において、前記ブラケット側主面部は、略矩形形状の外形を備えており、前記ブラケット側外周面部は、前記ブラケット側主面部の４つの端辺部にそれぞれ対応した４つのブラケット側平面部を備えており、前記ブラケット側配線収容部は、前記４つのブラケット側平面部のそれぞれに接していてもよい。
【００２１】
この構成によれば、ブラケット側配線収容部は、４つのブラケット側平面部のそれぞれに接しているため、いずれのブラケット側平面部からも配線を引き込むことができる。よって、セキュリティ用無線装置の周囲において、壁面を這わせた配線の配線経路を目立つほど変化させずに装置に引き込むことができる。
【００２２】
（８）上記形態のセキュリティ用通信装置において、前記本体側ケースは、さらに、
前記本体側挿通孔が形成された略矩形形状の本体側主面部と、前記本体側主面部の外周に形成された枠状の本体側外周面部であって、前記本体側主面部の４つの端辺部にそれぞれ対応した４つの本体側平面部を含む本体側外周面部と、前記本体側平面部のうちの１つと前記内部装置収容部との間に形成され、前記本体側主面部の端辺部に沿って延伸した形状を有し、前記セキュリティ用通信装置の外部から前記セキュリティ用通信装置の内部に引き込まれて前記内部装置収容部に収容されている前記内部装置に接続される配線を収容するための本体側配線収容部と、を備えていてもよい。
【００２３】
この構成によれば、本体側配線収容部は、本体側平面部のうちの１つと内部装置収容部との間に形成され、本体側主面部の端辺部に沿って延伸した形状を有している。これにより、本体側配線収容部を本体部の片側のみに設けて本体部の大型化を抑制しつつ、本体側外周面部のうち、内側が本体側配線収容部と接している部分から配線を本体部の内部に引き込むことができる。
【００２４】
（９）上記形態のセキュリティ用通信装置において、前記ブラケット側外周面部には、前記セキュリティ用通信装置の外部から前記ブラケット側配線収容部に配線を引き込むための切り欠き部を形成するための目地状の溝が形成されており、前記本体側外周面部には、前記セキュリティ用通信装置の外部から前記本体側配線収容部に配線を引き込むための切り欠き部を形成するための目地状の溝が形成されていてもよい。
【００２５】
この構成によれば、壁面を這わせた配線をセキュリティ用無線装置に引き込むための切り欠き部を容易に形成することができる。中間ブラケット部材を用いれば、電波受信対応やアンテナと周辺物体との接触回避だけでなく、同時に配線取込位置を自由に設定できる。よって、装置周辺で配線引き回しを必要以上におこなう必要がないので、装置をより目立たなくすることができる。
【００２６】
なお、本発明は、種々の態様で実現することが可能であり、例えば、セキュリティ用通信装置の本体部を取り付け金具に間接的に取り付けるときに使用され、自身を介して本体部を取り付け金具に取り付けるための中間ブラケット部材、セキュリティ用通信装置、セキュリティ用通信装置の取り付け構造、取り付け方法、セキュリティ用通信装置の製造方法、セキュリティ用通信装置を含んだセキュリティシステムなどの形態で実現することができる。
【図面の簡単な説明】
【００２７】
【図１】セキュリティ用通信装置を例示した図。
【図２】セキュリティ用通信装置を例示した斜視図。
【図３】セキュリティ用通信装置の取り付け方法を例示した斜視図。
【図４】第２の取り付け方法で取り付けられたセキュリティ用通信装置を示した図。
【図５】第２の取り付け方法で取り付けられたセキュリティ用通信装置の斜視図。
【図６】セキュリティ用通信装置の第２の取り付け方法を例示した斜視図。
【図７】ブラケット部材を含まないセキュリティ用通信装置の第１の分解斜視図。
【図８】ブラケット部材を含まないセキュリティ用通信装置の第２の分解斜視図。
【図９】ブラケット部材を含まないセキュリティ用通信装置の第３の分解斜視図。
【図１０】中間ブラケット部材を含むセキュリティ用通信装置の第１の分解斜視図。
【図１１】中間ブラケット部材を含むセキュリティ用通信装置の第２の分解斜視図。
【図１２】中間ブラケット部材を含むセキュリティ用通信装置の第３の分解斜視図。
【図１３】取り付け金具を例示した図。
【図１４】取り付け金具を例示した斜視図。
【図１５】本体側ケースを例示した図。
【図１６】本体側ケースを例示した斜視図。
【図１７】中間ブラケット部材を例示した図。
【図１８】中間ブラケット部材を例示した斜視図。
【図１９】中間ブラケット部材を例示した断面図。
【図２０】中間ブラケット部材を取り付け金具に取り付ける手順を示した説明図。
【図２１】中間ブラケット部材を取り付け金具から取り外す手順を示した説明図。
【図２２】本実施形態の効果の一例を示した説明図。
【発明を実施するための形態】
【００２８】
Ａ．第１実施形態：
図１は、セキュリティ用通信装置１０を例示した図である。図１（ａ）〜（ｅ）は、それぞれ、セキュリティ用通信装置１０の正面図、上面図、底面図、右側面図、および、左側側面図である。図２は、セキュリティ用通信装置の斜視図である。以後、図１（ａ）に示されたセキュリティ用通信装置１０の紙面上方側を「セキュリティ用通信装置１０の上方側」、紙面下方側を「セキュリティ用通信装置１０の下方側」、紙面右側を「セキュリティ用通信装置１０の右側」、紙面左側を「セキュリティ用通信装置１０の左側」とも呼ぶ。
【００２９】
セキュリティ用通信装置１０は、略直方体形状の外観を備えており、例えば、家庭内、オフィス内、工場内等の壁面や天井面など取り付け面２０に取り付けられる。本実施形態の取り付け面２０は、ほぼ鉛直の壁面であるが、取り付け面２０は、傾斜面や水平面であってもよく、また曲面であってもよい。セキュリティ用通信装置１０は、例えば、家庭の壁面や柱面等に取り付けられ、有線または無線の電話回線や、ＬＡＮ及びインターネットを介して建物内の異常を警備会社に通報するように構成されていてもよい。本実施形態のセキュリティ用通信装置１０は、右側の側面部に無線通信用のアンテナ１２１が取り付けられている。アンテナ１２１は、棒状の外形を有しており、基端部がセキュリティ用通信装置１０の本体部に回動可能に固定されている。
【００３０】
図３は、セキュリティ用通信装置１０の取り付け方法を例示した斜視図である。図３に示すように、セキュリティ用通信装置１０は、本体部１００と、取り付け金具２００とを含んでいる。取り付け金具２００は、ネジや釘等の固定部材によって取り付け面２０に直接固定されている。以後、図３に示された取り付け金具２００の紙面上方側を「取り付け金具２００の上方側」、紙面下方側を「取り付け金具２００の下方側」とも呼ぶ。
【００３１】
セキュリティ用通信装置１０は、上述のように、本体部１００を直接的に取り付け金具２００に取り付けることができるほか、後述する中間ブラケット部材３００を介して本体部１００を間接的に取り付け金具２００に取り付けることができる。以後、本体部１００を直接的に取り付け金具２００に取り付ける方法を「第１の取り付け方法」とも呼ぶ。また、後述する中間ブラケット部材３００を介して本体部１００を間接的に取り付け金具２００に取り付ける方法を「第２の取り付け方法」とも呼ぶ。
【００３２】
図４は、第２の取り付け方法で取り付けられたセキュリティ用通信装置１０を例示した図である。図４（ａ）〜（ｅ）は、それぞれ、図１（ａ）〜（ｅ）と同様の方向から見た状態を例示している。図５は、図２と同様の方向から見た斜視図である。第２の取り付け方法で取り付けられるセキュリティ用通信装置１０は、本体部１００および取り付け金具２００のほか、中間ブラケット部材３００を含んでおり、全体として略直方体形状を備えている。中間ブラケット部材３００は、セキュリティ用通信装置１０を取り付け面２０に取り付けるときに、本体部１００と取り付け面２０との間に配置され、セキュリティ用通信装置１０を自身の厚み分だけ取り付け面２０から離した状態で本体部１００を支持する。図４（ａ）に示すように、中間ブラケット部材３００は、セキュリティ用通信装置１０を正面視したときの外周部の形状が本体部１００の外周部の形状と概ね一致するように構成されている。これにより、中間ブラケット部材３００を使用してセキュリティ用通信装置１０を取り付け面２０に取り付けた場合であっても、セキュリティ用通信装置１０の外観を目立たなくすることができる。中間ブラケット部材３００は、例えば、樹脂等の射出成形によって製造することができる。
【００３３】
図６は、第２の取り付け方法によってセキュリティ用通信装置１０を取り付け面２０に取り付ける方法を例示した説明図である。中間ブラケット部材３００は、取り付け面２０に固定された取り付け金具２００に直接固定される。中間ブラケット部材３００を取り付け金具２００に固定する具体的な方法については後述する。以後、図６に示された中間ブラケット部材３００の紙面上方側を「中間ブラケット部材３００の上方側」、紙面下方側を「中間ブラケット部材３００の下方側」とも呼ぶ。
【００３４】
このように、セキュリティ用通信装置１０は、第２の取り付け方法によっても、本体部１００を中間ブラケット部材３００に取り付け可能に構成されているため、本体部１００の周辺の物理的な状況や、通信電波状況に応じて本体部１００の体勢を変更することができる。すなわち、セキュリティ用通信装置１０を取り付ける際に、図３および図６に示した２つの取り付け方法のいずれかのうちで、本体部１００の周辺の物理的な状況、通信状態を考慮して最適なものを選択することができる。
【００３５】
図７〜図９は、中間ブラケット部材３００を用いない第１の取り付け方法で取り付けられるセキュリティ用通信装置１０の分解斜視図である。図７〜図９には、それぞれ、後述する内部装置１２０に接続される配線Ｗの第１の配線経路、第２の配線経路、および、第３の配線経路が示されている。
【００３６】
本体部１００は、外側ケース１１０と、内部装置１２０と、本体側ケース４００とを含んでいる。外側ケース１１０は、開口端を備える略函状の外形を有しており、略矩形形状の外側ケース主面部１１１と、外側ケース主面部１１１の外周に形成された枠状の外側ケース外周面部１１２とを備えている。本体側ケース４００は、略矩形形状の本体側主面部４０１と、本体側主面部４０１の外周に形成された枠状の本体側外周面部４１０とを備えている。本体側ケース４００は、本体側外周面部４１０に囲まれた領域内に、内部装置１２０を収容するための内部装置収容部ＭＳと、内部装置１２０から外部に延びる配線Ｗを収容するための本体側配線収容部ＳＳが形成されている。本体側ケース４００の本体側主面部４０１には、必要に応じて、内部装置１２０から延びる配線Ｗを本体側ケース４００の裏側に挿通させる（図９参照）ための本体側配線用開口部４４０が形成されている。
【００３７】
外側ケース１１０の外側ケース外周面部１１２によって形成される開口端と、本体側ケース４００の本体側外周面部４１０によって形成される開口端は、ほぼ同じ形状している。外側ケース外周面部１１２の開口端と本体側外周面部４１０の開口端とを重ね合わせることによって、内側に内部装置１２０を収容した状態で、外側ケース１１０を本体側ケース４００に固定することができる。中間ブラケット部材３００を用いない第１の取り付け方法の場合、本体側ケース４００は取り付け金具２００に直接固定される。なお、外側ケース１１０と本体側ケース４００は、例えば、樹脂等の射出成形によって製造することができる。
【００３８】
内部装置１２０は、無線通信機能を有しており、基板部１２２と、電源部１２３と、アンテナ１２１を備えている。基板部１２２と電源部１２３は、本体側ケース４００の内部装置収容部ＭＳに収容されている。内部装置１２０には、セキュリティ用通信装置１０の外部からセキュリティ用通信装置１０の内部に引き込まれた配線Ｗが接続されている。この配線Ｗは、例えば、電源供給用の電源用配線と、建物内の他の装置（例えば、監視カメラ）との通信用の配線の少なくとも一方の機能を有する配線であり、これらの両方の機能を有していてもよい。
【００３９】
セキュリティ用通信装置１０は、取り付け面２０を這わせた配線、および、取り付け面２０の裏側から取り付け面２０に設けられた開口部２１を介して取り出される配線のいずれも引き込み可能に構成されている。第１の取り付け方法で取り付けられたセキュリティ用通信装置１０は、内部に引き込まれた配線Ｗを図７〜図９に示す配線経路のうちの少なくとも１つの配線経路によって内部装置１２０に接続させることができる。
【００４０】
例えば、図７に示すように、取り付け面２０を這わせた配線Ｗをセキュリティ用通信装置１０に引き込む場合、本体側ケース４００の本体側外周面部４１０のうち、内側が本体側配線収容部ＳＳと接する部分を切り欠いて切り欠き部ＣＰを形成し、この切り欠き部ＣＰを介してセキュリティ用通信装置１０の内部に引き込むことができる。図７では、本体側外周面部４１０の上方側の面のうち、左側の端部付近に切り欠き部ＣＰが形成されている。引き込まれた配線Ｗは、先端部が内部装置１２０の所定の位置に接続される。また、先端部と切り欠き部ＣＰとの間の配線Ｗは、本体側配線収容部ＳＳに収容される。なお、切り欠き部ＣＰを形成する位置については、本体側外周面部４１０のうち、内側が本体側配線収容部ＳＳと接する部分であれば図７で示した位置に限定されない。例えば、図８に示すように、本体側外周面部４１０の下方側の面のうち、左側の端部付近に切り欠き部ＣＰを形成して配線Ｗを引き込んでもよい。この場合であっても、引き込まれた配線Ｗの先端部を内部装置１２０の所定の位置に接続することができる。また、内部装置１２０に接続された先端部と切り欠き部ＣＰとの間の配線Ｗを本体側配線収容部ＳＳに収容することができる。
【００４１】
一方、例えば、図９に示すように、取り付け面２０の裏側から取り付け面２０に設けられた開口部２１を介して取り出される配線Ｗをセキュリティ用通信装置１０に引き込む場合、まず、取り付け面２０に設けられた開口部２１と取り付け金具２００に設けられた金具側開口部２４０とが連通するように取り付け金具２００を取り付ける。そして、取り付け金具２００の金具側開口部２４０を介して、取り付け面２０の裏側から配線Ｗを取り出す。金具側開口部２４０から取り出された配線Ｗを本体側ケース４００の本体側配線用開口部４４０を挿通させて内部装置１２０の所定の位置に接続させることができる。
【００４２】
図１０〜図１２は、中間ブラケット部材３００を用いる第２の取り付け方法で取り付けられるセキュリティ用通信装置１０の分解斜視図である。図１０〜図１２には、それぞれ、内部装置１２０に接続される配線Ｗの第４の配線経路、第５の配線経路、および、第６の配線経路が例示されている。第２の取り付け方法の場合、本体側ケース４００は中間ブラケット部材３００を介して、取り付け金具２００に固定される。
【００４３】
中間ブラケット部材３００は、略矩形形状のブラケット側主面部３０１と、ブラケット側主面部３０１の外周に形成された枠状のブラケット側外周面部３１０とを備えている。中間ブラケット部材３００は、ブラケット側外周面部３１０に囲まれた領域に、内部装置１２０から延びる配線Ｗを収容するためのブラケット側配線収容部ＷＳが形成されている。ブラケット側主面部３０１には、必要に応じて、内部装置１２０から延びる配線Ｗを中間ブラケット部材３００の裏側に挿通させる（図１２参照）ためのブラケット側配線用開口部３４０が形成されている。ブラケット側外周面部３１０によって形成される開口端は、本体側主面部４０１の外周部と、ほぼ同じ形状している。中間ブラケット部材３００は、ブラケット側外周面部３１０の開口端を本体側ケース４００の本体側主面部４０１に接触させた状態で本体部１００を支持する。第２の取り付け方法で取り付けられたセキュリティ用通信装置１０は、内部に引き込まれた配線Ｗを図１０〜図１２に示す配線経路のうちの少なくとも１つの配線経路によって内部装置１２０に接続させることができる。
【００４４】
例えば、図１０に示すように、取り付け面２０を這わせた配線Ｗをセキュリティ用通信装置１０に引き込む場合、ブラケット側外周面部３１０の任意の部分に切り欠き部ＣＰを形成し、この切り欠き部ＣＰを介してセキュリティ用通信装置１０の内部に引き込むことができる。図１０では、切り欠き部ＣＰを形成する位置の一例として、ブラケット側外周面部３１０の上方側の面のうち、右側の端部付近に切り欠き部ＣＰが形成されている。引き込まれた配線Ｗは、先端部が内部装置１２０の所定の位置に接続される。また、先端部と切り欠き部ＣＰとの間の配線Ｗは、ブラケット側配線収容部ＷＳに収容される。切り欠き部ＣＰから引き込まれた配線Ｗは、ブラケット側配線収容部ＷＳの内部において、配線方向を変化させ、本体側配線用開口部４４０を介して内部装置１２０の所定の位置に接続される。なお、切り欠き部ＣＰを形成する位置については、図１０で示した位置に限定されない。例えば、図１１に示すように、ブラケット側外周面部３１０の下方側の面のうち、右側の端部付近に切り欠き部ＣＰを形成して配線Ｗを引き込んでもよい。また、他の例として、ブラケット側外周面部３１０の左右の側面を切り欠いて切り欠き部ＣＰを形成してもよい。これらの場合であっても、切り欠き部ＣＰから引き込まれた配線をブラケット側配線収容部ＷＳの内部において、配線方向を変化させ、本体側配線用開口部４４０を介して内部装置１２０の所定の位置に接続させることができる。このとき、ブラケット側配線収容部ＷＳの内部において、長さの余った配線Ｗを収容することができる。そのため、セキュリティ用通信装置１０の外部において長さの余った配線Ｗが目立つことを抑制することができる。
【００４５】
一方、例えば、図１２に示すように、取り付け面２０の裏側から取り付け面２０に設けられた開口部２１を介して取り出される配線Ｗをセキュリティ用通信装置１０に引き込む場合、まず、取り付け面２０に設けられた開口部２１と取り付け金具２００に設けられた金具側開口部２４０とが連通するように金具２００を取り付ける。そして、取り付け金具２００の金具側開口部２４０を介して、取り付け面２０の裏側から配線Ｗを取り出す。金具側開口部２４０から取り出された配線Ｗをブラケット側配線用開口部３４０および本体側配線用開口部４４０を挿通させて内部装置１２０の所定の位置に接続させることができる。このとき、ブラケット側配線収容部ＷＳの内部に、長さの余った配線Ｗを収容することができる。以上のように、セキュリティ用通信装置１０は、図７〜１２に例示された配線経路のうちで、セキュリティ用通信装置１０の周辺の配線の状況、装置自体の大きさ考慮して最も目立たない構成を選択することができる。
【００４６】
図１３は、取り付け金具２００を例示した図である。図１３（ａ）〜（ｅ）は、それぞれ、取り付け金具２００の正面図、上面図、底面図、右側側面図、および、左側側面図である。図１４は、取り付け金具２００の斜視図である。取り付け金具２００は、金具側主面部２０１と、金具側固定部２１０と、一対の金具側フック部２２０、２３０（第１の金具側フック部２２０と第２の金具側フック部２３０）と、金具側係合部２５０と、を備えている。金具側主面部２０１は、４つの端辺部を有する略矩形形状の外形を備え、孔部２０２、２０３に取り付けたネジや釘等の固定部材によって取り付け面２０（図７）に固定される。金具側主面部２０１の略中央部には、上述した金具側開口部２４０が形成されている。ここで、端辺部とは、端辺と端辺周辺の領域を含む。
【００４７】
金具側固定部２１０は、本体部１００を取り付け金具２００に固定するための部位であって、金具側主面部２０１の上方側の端辺部に形成されている。金具側固定部２１０には、金具側雌ネジ部２１１が形成されており、ネジを用いて、本体部１００（図７）を直接、または、中間ブラケット部材３００を介して取り付け金具２００に固定可能に構成されている。具体的には、本体部１００に設けられた後述する本体側挿通孔４５０（図１５）に挿通されたネジを直接、または、中間ブラケット部材３００を介して金具側雌ネジ部２１１に螺合させることによって、本体部１００を取り付け金具２００に固定する。
【００４８】
金具側係合部２５０は、中間ブラケット部材３００を取り付け金具２００に固定するための部位であって、金具側主面部２０１の下方側の端辺部に形成されている。金具側係合部２５０は、上方側の基端部が金具側主面部２０１に接続され、下方側の先端部が下方に向かって延伸した小片状の外形を備えており、後述するブラケット側係合部３６０（図１７）と係合する。金具側係合部２５０は、先端部と基端部との間で折り返されており、先端部が基端部よりも金具側主面部２０１の法線方向に突出するように構成されている。
【００４９】
一対の金具側フック部２２０、２３０は、本体部１００または中間ブラケット部材３００を固定するための部位であって、金具側主面部２０１の左右の両端辺部に形成されている。一対の金具側フック部２２０、２３０は、それぞれ、本体部１００または中間ブラケット部材３００と係合することによって、本体部１００または中間ブラケット部材３００を取り付け金具２００に固定する。なお、本実施形態の一対の金具側フック部２２０、２３０は、それぞれ先端が上方側を向いたフック（引っ掛け機構）として構成されている。本実施形態では、金具側フック部２２０、２３０に引っ掛けられて前後左右下方向の移動が規制された本体部１００は、金具側雌ネジ部２１１を用いてネジ止めされることによって上方向の移動が規制され、取り付け金具２００に固定される。一方、金具側フック部２２０、２３０に引っ掛けられた中間ブラケット部材３００は、ブラケット側係合部３６０（図１７）が金具側係合部２５０と係合することによって上方向の移動が規制されて、取り付け金具２００に固定される。
【００５０】
取り付け金具２００は、金具側固定部２１０と、一対の金具側フック部２２０、２３０のそれぞれとが互いに異なる金具側主面部２０１の端辺部に形成されている。これにより、取り付け金具２００と、本体部１００とを互いに直線状に並ばない３箇所で固定することができるとともに、この３箇所の互いの距離を大きくすることができ、取り付け金具２００と、本体部１００との間の固定をより安定化させることができる。また、取り付け金具２００は、金具側係合部２５０と、一対の金具側フック部２２０、２３０のそれぞれとが互いに異なる金具側主面部２０１の端辺部に形成されている。これにより、取り付け金具２００と、中間ブラケット部材３００とを互いに直線状に並ばない３箇所で固定することができ、同様の効果が得られる。
【００５１】
図１５は、本体側ケース４００を例示した図である。図１５（ａ）〜（ｅ）は、それぞれ、本体側ケース４００の正面図、上面図、底面図、右側側面図、および、左側側面図である。図１６は、本体側ケース４００の斜視図である。本体側ケース４００は、本体側主面部４０１と、本体側外周面部４１０のほか、一対の本体側フック係合部４２０、４３０（第１の本体側フック係合部４２０と第２の本体側フック係合部４３０）と、本体側挿通孔４５０と、本体側フック用開口部４６０とを備えている。本体側主面部４０１の略中央部には、上述した本体側配線用開口部４４０が形成されている。
【００５２】
一対の本体側フック係合部４２０、４３０は、取り付け金具２００の一対の金具側フック部２２０、２３０とそれぞれ係合するための部位であって、本体側主面部４０１の左右の両端辺部の略中央に形成されている。本実施形態では、一対の本体側フック係合部４２０、４３０は、それぞれ上下方向に延伸した開口部として構成されている。本体側ケース４００を取り付け金具２００に取り付けるとき、第１の本体側フック係合部４２０が第１の金具側フック部２２０と係合し、第２の本体側フック係合部４３０が第２の金具側フック部２３０と係合する。本体側ケース４００は、一対の本体側フック係合部４２０、４３０に一対の金具側フック部２２０、２３０を挿通させた後、本体側ケース４００を下方向にスライドさせることで取り付け金具２００に仮固定される。
【００５３】
本体側挿通孔４５０は、本体側ケース４００を取り付け金具２００に固定する際にネジが挿通される部位であって、本体側ケース４００を取り付け金具２００に取り付けたときに金具側雌ネジ部２１１に対向する位置に形成されている。また、中間ブラケット部材３００を介して本体側ケース４００を取り付け金具２００に取り付けたときには、ブラケット側挿通孔３５０（図１７）とも対向する。本実施形態では、本体側挿通孔４５０は、本体側主面部４０１の上方側の端辺部に形成されている。本体側ケース４００を取り付け金具２００に取り付ける場合には、まず、一対の本体側フック係合部４２０、４３０に一対の金具側フック部２２０、２３０を挿通させた後、本体側ケース４００を下方向にスライドさせることで本体側ケース４００を仮固定し、その後、本体側挿通孔４５０に挿通させたネジを金具側雌ネジ部２１１に螺合させることによって、本体側ケース４００を固定することができる。
【００５４】
本体側挿通孔４５０および一対の本体側フック係合部４２０、４３０のそれぞれは、互いに異なる本体側主面部４０１の端辺部に形成されている。これにより、本体側ケース４００を取り付け金具２００に取り付けたとき、本体側ケース４００を互いに直線状に並ばない３箇所で固定することができるとともに、この３箇所の互いの距離を大きくすることができ、取り付け金具２００との間の固定をより安定化させることができる。
【００５５】
本体側フック用開口部４６０は、本体側ケース４００を中間ブラケット部材３００に取り付けたときに、後述するブラケット側フック部３７０（図１７）と係合する。本体側ケース４００を中間ブラケット部材３００に取り付ける場合には、本体側フック用開口部４６０とブラケット側フック部３７０（図１７）とを係合させるとともに、本体側挿通孔４５０とブラケット側挿通孔３５０（図１７）とを挿通させたネジを金具側雌ネジ部２１１に螺合させることによって、本体側ケース４００を固定することができる。
【００５６】
本体側フック用開口部４６０は、本体側主面部４０１の中心点をとおり互いに直交する２つの直線によって本体側主面部４０１の領域を４分割したときに、本体側挿通孔４５０が含まれる領域の斜めに位置する領域に形成されることが好ましい。本体側フック用開口部４６０は、本体側主面部４０１の中心点を対象点として本体側挿通孔４５０と略点対称となる位置に形成されることがさらに好ましい。これにより、本体側ケース４００と中間ブラケット部材３００との間の固定を安定化させることができる。具体的には、この構成によれば、本体側フック用開口部４６０とブラケット側フック部３７０（図１７）との係合位置と、本体側挿通孔４５０とブラケット側挿通孔３５０（図１７）との固定位置と、の間に概ね本体側主面部４０１の中心点が通る。すなわち、本体部１００を中間ブラケット部材３００に取り付ける取り付け方向から見たときに、本体部１００の重心点が、この係合位置と固定位置との間に概ね位置するように構成される。よって、これらによる中間ブラケット部材３００と本体部１００との間の固定をより安定化させることができる。
【００５７】
本体側外周面部４１０は、本体側主面部４０１の上方側端部に形成される上方側本体外周平面部４１１と、下方側端部に形成される下方側本体外周平面部４１２と、右側端部に形成される右側本体外周平面部４１３と、左側端部に形成される左側本体外周平面部４１４とを含む。この４つの本体外周平面部４１１〜４１４と本体側主面部４０１によって本体側配線収容部ＳＳおよび内部装置収容部ＭＳが形成されている。右側本体外周平面部４１３には、アンテナ取り出し部４１６が形成されている。これにより、内部装置１２０を内部装置収容部ＭＳに設置したときにアンテナ１２１を本体部１００の外側に配置することができる。上方側本体外周平面部４１１と下方側本体外周平面部４１２のそれぞれの内側に近接した位置には、本体側ケース係合部４８１、４８２が形成されている。本体側ケース係合部４８１、４８２は、外側ケース１１０を本体側ケース４００に取り付けたときに、外側ケース１１０の外側ケース外周面部１１２と係合する。本体側ケース係合部４８２は、２つの爪部から形成されており、この２つの爪部を同時に押圧しないと外側ケース１１０を取り外せない構成となっている。
【００５８】
本体側配線収容部ＳＳと内部装置収容部ＭＳは、上下に延びる区画部４０２によって区画されている。そのため、本体側配線収容部ＳＳは、４つの本体外周平面部４１１〜４１４のうち、左側本体外周平面部４１４と、上方側本体外周平面部４１１および下方側本体外周平面部４１２の左側端部のみと接している。本体側配線収容部ＳＳは、左側本体外周平面部４１４と内部装置収容部ＭＳとの間に形成され、本体側主面部４０１の端辺部に沿って上下方向に延伸した形状を有している。これにより、本体部１００は、本体側配線収容部ＳＳを本体部１００の片側のみに設けて本体部１００の大型化を抑制しつつ、本体側外周面部４１０のうち、内側が本体側配線収容部ＳＳと接している部分から配線Ｗを本体部１００の内部に引き込むことができる。また、本体側外周面部４１０のうち、内側が本体側配線収容部ＳＳと接触する部分には、切り欠き部ＣＰの形成を容易にするために、複数の目地状の溝４１５が形成されていてもよい。溝４１５は、本体側外周面部４１０の厚みが薄くなるように、本体側ケース４００の開口端側から本体側主面部４０１に向かう方向に沿って形成されている。本実施形態では、上方側本体外周平面部４１１および下方側本体外周平面部４１２の左側端部のみに形成されているが、左側本体外周平面部４１４に形成されていてもよい。
【００５９】
図１７は、中間ブラケット部材３００を例示した図である。図１７（ａ）〜（ｅ）は、それぞれ、中間ブラケット部材３００の正面図、上面図、底面図、右側側面図、および、左側側面図である。図１８は、中間ブラケット部材３００の斜視図である。図１９は、図１７のＡ−Ａ断面図である。
【００６０】
中間ブラケット部材３００は、ブラケット側主面部３０１と、ブラケット側外周面部３１０のほか、一対のブラケット側フック係合部３２０、３３０（第１のブラケット側フック係合部３２０と第２のブラケット側フック係合部３３０）と、ブラケット側挿通孔３５０と、ブラケット側係合部３６０、ブラケット側フック部３７０とを備えている。ブラケット側主面部３０１の略中央部には、上述したブラケット側配線用開口部３４０が形成されている。
【００６１】
一対のブラケット側フック係合部３２０、３３０は、取り付け金具２００の一対の金具側フック部２２０、２３０とそれぞれ係合するための部位であって、ブラケット側主面部３０１の左右の両端辺部の略中央に形成されている。本実施形態の一対のブラケット側フック係合部３２０、３３０は、それぞれ上下方向に延伸した開口部として構成されている。中間ブラケット部材３００を取り付け金具２００に取り付けるとき、第１のブラケット側フック係合部３２０が第１の金具側フック部２２０と係合し、第２のブラケット側フック係合部３３０が第２の金具側フック部２３０と係合する。中間ブラケット部材３００は、一対のブラケット側フック係合部３２０、３３０に一対の金具側フック部２２０、２３０を挿通させた後、中間ブラケット部材３００を下方向にスライドさせることで取り付け金具２００に仮固定される。
【００６２】
ブラケット側挿通孔３５０は、中間ブラケット部材３００を介して本体側ケース４００を取り付け金具２００に固定するときにネジが挿通される部位であって、中間ブラケット部材３００を取り付け金具２００に取り付けたときに金具側雌ネジ部２１１に対向する位置に形成されている。本体側ケース４００の本体側挿通孔４５０（図１５）に挿通されたネジを、ブラケット側挿通孔３５０を介して金具側固定部２１０の金具側雌ネジ部２１１に螺合させることによって、本体側ケース４００および中間ブラケット部材３００が取り付け金具２００に固定される。
【００６３】
ブラケット側フック部３７０は、本体側ケース４００を中間ブラケット部材３００に固定する部位であって、本体側ケース４００の本体側フック用開口部４６０と係合する。本実施形態では、ブラケット側フック部３７０は、先端に引っ掛け部が形成された突起部として構成されている。この構成によれば、ブラケット側フック部３７０の先端部を本体側フック用開口部４６０に挿通させることによって、本体側ケース４００を中間ブラケット部材３００に容易に固定することができる。
【００６４】
ブラケット側係合部３６０は、中間ブラケット部材３００を取り付け金具２００に取り付ける際に金具側係合部２５０（図１３）と係合するための部位であって、ブラケット側主面部３０１の下方側の端辺部に形成されている。中間ブラケット部材３００を取り付け金具２００に取り付ける場合には、まず、一対のブラケット側フック係合部３２０、３３０に一対の金具側フック部２２０、２３０を挿通させた後、中間ブラケット部材３００を下方向にスライドさせることで中間ブラケット部材３００を仮固定し、その後、ブラケット側係合部３６０を金具側係合部２５０にスナップフィットさせることによって、中間ブラケット部材３００を固定することができる。ブラケット側係合部３６０と金具側係合部２５０との具体的な係合態様については後述する。
【００６５】
ブラケット側係合部３６０および一対のブラケット側フック係合部３２０、３３０のそれぞれは、互いに異なるブラケット側主面部３０１の端辺部に形成されている。これにより、中間ブラケット部材３００を取り付け金具２００に取り付けたとき、中間ブラケット部材３００を互いに直線状に並ばない３箇所で固定することができるとともに、この３箇所の互いの距離を大きくすることができ、取り付け金具２００との間の固定をより安定化させることができる。
【００６６】
ブラケット側係合部３６０は、板バネ部３６１と、レバー部３６３とを備えている。板バネ部３６１は、ブラケット側主面部３０１に一体的に形成され、基端部がブラケット側主面部３０１に接続された弾性揺動片であり、先端部にスナップフィット爪としての係止爪３６２（図１９）が形成されている。本実施形態の板バネ部３６１は、ブラケット側主面部３０１をコの字状に切り目を入れて形成されたキャンチレバー形状を有しており、基端部が上方側に位置し、先端部が下方側に位置するように配置される。言い換えれば、基端部が先端部に対して、後述する第１の方向Ｄ１側に位置するように配置される。板バネ部３６１は、基端部を起点にして先端部が揺動可能に構成されている。ここでは、板バネ部３６１は、弾性変形によって先端部が基端部に対して反るように構成されている。板バネ部３６１は、係止爪３６２が金具側係合部２５０（図１３）の先端部と係合することによって、中間ブラケット部材３００の上方向への移動を規制する。具体的な係合態様については後述する。
【００６７】
レバー部３６３は、平板状の部位であり、板バネ部３６１に略直交する向きで板バネ部３６１の先端部に取り付けられている。具体的には、レバー部３６３は、板バネ部３６１の先端部のうち、係止爪３６２が形成されている側の反対側において、ブラケット側主面部３０１の法線方向に突出するように形成されている。レバー部３６３は、係止爪３６２が金具側係合部２５０と係合しているときに、図１７〜１９の白抜き矢印方向（図１７〜１９の上方向）に押圧されると、板バネ部３６１を反らせて係止爪３６２と金具側係合部２５０（図１３）との係合を解除する。以後、図１７〜１９の白抜き矢印方向を「第１の方向Ｄ１」または「解除方向」とも呼ぶ。レバー部３６３は、レバー部３６３の第１の方向Ｄ１側（図１７〜１９の上方側）にブラケット側配線収容部ＷＳが位置するように配置されている。また、レバー部３６３は、ブラケット側配線収容部ＷＳと対向し、ブラケット側配線収容部ＷＳに収容された配線Ｗと面するように構成されている。これらの構成による効果については後述する。
【００６８】
また、レバー部３６３は、第１の方向Ｄ１の反対方向側（図１７〜１９の下方側）が下方側ブラケット外周平面部３１２と対向している。そして、下方側ブラケット外周平面部３１２とレバー部３６３との間の距離Ｗ１が、配線Ｗの幅よりも小さくなるように構成されている。ここでは、距離Ｗ１は、下方側ブラケット外周平面部３１２とレバー部３６３との間の最短距離であり、１ｍｍ〜１５ｍｍ程度である。この構成によれば、下方側ブラケット外周平面部３１２とレバー部３６３との間に配線Ｗが入り込むことを抑制できる。これにより、ブラケット側配線収容部ＷＳに収容されている配線Ｗの一部が上述の間に入り込んでレバー部３６３を第１の方向Ｄ１に押圧し、係止爪３６２と金具側係合部２５０（図１３）との係合を解除することを抑制できる。
【００６９】
ブラケット側外周面部３１０は、ブラケット側主面部３０１の上方側端部に形成される上方側ブラケット外周平面部３１１と、下方側端部に形成される下方側ブラケット外周平面部３１２と、右側端部に形成される右側ブラケット外周平面部３１３と、左側端部に形成される左側ブラケット外周平面部３１４とを含む。この４つのブラケット外周平面部３１１〜３１４とブラケット側主面部３０１によってブラケット側配線収容部ＷＳが形成されている。本体部１００を中間ブラケット部材３００に取り付けるときの取り付け方向から見たときのブラケット側外周面部３１０の外形は、本体側ケース４００をその取り付け方向から見たときの外形とほぼ同じである。ここでの取り付け方向とは、本体部１００を中間ブラケット部材３００に取り付けたときのこれらの積層方向に沿った方向である。この構成によれば、本体部１００を中間ブラケット部材３００に取り付けるときの取り付け方向から見たときのセキュリティ用通信装置１０の全体の大きさを抑制することができる。右側ブラケット外周平面部３１３と左側ブラケット外周平面部３１４には、ブラケット側移動規制部３８１、３８２がそれぞれ形成されている。ブラケット側移動規制部３８１、３８２は、本体部１００を中間ブラケット部材３００に取り付けたときに、本体側ケース４００と係合する。
【００７０】
ブラケット側配線収容部ＷＳは、４つのブラケット外周平面部３１１〜３１４とそれぞれ接している。そのため、４つのブラケット外周平面部３１１〜３１４のどこにでも配線を引き込むための切り欠き部ＣＰを形成することができる。よって、セキュリティ用通信装置１０の周囲において、壁面を這わせた配線Ｗの配線経路を目立つほど変化させずにセキュリティ用通信装置１０に引き込むことができる。また、本実施形態の上方側ブラケット外周平面部３１１および下方側ブラケット外周平面部３１２には、切り欠き部ＣＰの形成を容易にするために、複数の目地状の溝３１５が形成されている。溝３１５は、４つのブラケット外周平面部３１１〜３１４のどこにでも形成することができる。
【００７１】
図２０は、中間ブラケット部材３００を取り付け金具２００に取り付ける手順を例示した説明図である。図２０（ａ）に示すように、まず、一対のブラケット側フック係合部３２０（不図示）、３３０に一対の金具側フック部２２０（不図示）、２３０を挿通させ、ブラケット側主面部３０１と金具側主面部２０１が接触する位置まで中間ブラケット部材３００を押し込む。このとき、図２０（ｂ）に示すように、金具側係合部２５０によって、ブラケット側係合部３６０が押し上げられる。この状態で、図２０（ｃ）に示すように、中間ブラケット部材３００を下方にスライドさせることによって、ブラケット側係合部３６０と金具側係合部２５０とが係合する。これにより、係止爪３６２が金具側係合部２５０の先端部の端面に引っかかるため、中間ブラケット部材３００の上方向の移動が規制される。また、このとき、一対のブラケット側フック係合部３２０、３３０と一対の金具側フック部２２０、２３０との係合によって中間ブラケット部材３００の前後左右下方向の移動が規制されるため、中間ブラケット部材３００が取り付け金具２００に固定される。このように、本実施形態によれば、ネジを使わず容易に中間ブラケット部材３００を取り付け金具２００に取り付けることができる。このように、本実施形態の中間ブラケット部材３００は、ネジを使用せずに取り付け金具２００に取り付けることができるため、セキュリティ用通信装置１０を壁面等に取り付ける際に使用するネジの種類や数が中間ブラケット部材３００を使用する場合と使用しない場合とで変わらないようにすることができる。よって、この構成によれば、取り付け作業性の向上を図ることができ、また、使用されなかったネジが余って不要な資材が発生しにくくすることができる。
【００７２】
図２１は、中間ブラケット部材３００を取り付け金具２００から取り外す手順を例示した説明図である。図２１（ａ）に示すように、まず、レバー部３６３を第１の方向Ｄ１に押し上げることによって、係止爪３６２と金具側係合部２５０の先端部との係合を解除する。その後、図２１（ｂ）に示すように、中間ブラケット部材３００を上方（第１の方向Ｄ１）にスライドさせる。これにより、一対のブラケット側フック係合部３２０、３３０と一対の金具側フック部２２０、２３０との係合が解除され、中間ブラケット部材３００を金具２００から取り外すことができる。このように、中間ブラケット部材３００は、ブラケット側係合部３６０の板バネ部３６１からレバー部３６３が突出しているため、指などによってレバー部３６３を第１の方向Ｄ１に押圧することによって、係止爪３６２と金具側係合部２５０との係合を容易に解除することができる。また、レバー部３６３の解除方向と中間ブラケット部材３００を取り付け金具２００から取り外す方向が同じ方向（第１の方向）であるため、レバー部３６３の解除と中間ブラケット部材３００の取り付け金具２００からの取り外しを一回の動作でおこなうことができる。
【００７３】
図２２は、本実施形態の効果の一例を示した説明図である。図２２の破線部分には、ブラケット側配線収容部ＷＳに収容された配線Ｗが存在しているものとして説明する。上述のように、中間ブラケット部材３００のレバー部３６３は、レバー部３６３の第１の方向Ｄ１側にブラケット側配線収容部ＷＳが位置するように配置され、ブラケット側配線収容部ＷＳに収容された配線Ｗと面している。そのため、ブラケット側配線収容部ＷＳに収容された配線Ｗは、レバー部３６３を第１の方向Ｄ１（解除方向）と反対の方向（第２の方向Ｄ２）に押圧する。よって、この構成によれば、配線Ｗによって、レバー部３６３が第１の方向Ｄ１に押圧されることを抑制できる。さらに、この構成によれば、配線Ｗがレバー部３６３を第２の方向Ｄ２に押圧するため、取り付け面２０に取り付けたセキュリティ用通信装置１０を取り付け面２０から外れにくくすることができる。
【００７４】
一般的に、セキュリティ用通信装置１０は目立たなくする必要があるため、中間ブラケット部材３００は小型化する必要がある。中間ブラケット部材３００の小型化により、ブラケット側配線収容部ＷＳも小さくなるため、余った配線Ｗはブラケット側配線収容部ＷＳに押し込められる。一方、中間ブラケット部材３００を小型化するためには、ブラケット側配線収容部ＷＳとレバー部３６３とを近接させる必要がある。これらのことから、本願発明者らは、中間ブラケット部材３００に中間ブラケット部材３００と取り付け金具２００との係合を解除するためのレバー部を設けた場合、ブラケット側配線収容部ＷＳに収容された配線Ｗによってレバー部が押圧されやすく、例えば、セキュリティ用通信装置１０の取付け時において、配線Ｗによるレバー部の押圧によって、意図しない係合の解除が生じやすいことを見出した。そこで、本実施形態では、レバー部３６３の第１の方向Ｄ１側にブラケット側配線収容部ＷＳが位置するようにレバー部３６３を配置し、レバー部３６３とブラケット側配線収容部ＷＳに収容された配線とが面するように構成される。これにより、中間ブラケット部材３００の小型化を図りつつ、配線Ｗによって、レバー部３６３が第１の方向Ｄ１に押圧されることを抑制できる。
【００７５】
以上説明した、本実施形態のセキュリティ用通信装置１０によれば、建物への侵入者等にその存在を気がつかれないように、セキュリティ用通信装置１０をより目立たなくすることができる。具体的には、セキュリティ用通信装置に外部配線を引き込んだ際、装置の周囲において配線の長さが余らなかった場合、または、目立たない程度に長さが余る場合には、図１〜３、７〜９に示すように、中間ブラケット部材３００を使用せずにセキュリティ用通信装置１０の本体部１００を直接的に取り付け面２０に固定できる。そのため、セキュリティ用通信装置１０の大きさを抑制することができる。一方、セキュリティ用通信装置に外部配線を引き込んだ際、装置の周囲において配線の長さが目立つ程度に余る場合には、図４〜６、１０〜１２に示すように、中間ブラケット部材３００を使用することによって、中間ブラケット部材３００の内部の配線収容部ＷＳにおいて配線方向を変化させて本体部１００に接続することができる。これにより、セキュリティ用通信装置１０周辺の配線Ｗによってセキュリティ用通信装置１０が目立つようになることを抑制することができる。また、この構成によれば、選択的に中間ブラケット部材３００を使用してセキュリティ用通信装置１０の本体部１００を取り付け面２０に固定することができるため、取り付け場所の状況に応じてより目立たない構成を選択することができる。
【００７６】
また、本実施形態のセキュリティ用通信装置１０によれば、本体側ケース４００を直接的に取り付け金具２００に取り付ける取り付け方法と、中間ブラケット部材３００を介して本体側ケース４００を取り付け金具２００に取り付ける取り付け方法とを同様にすることができる。また、取り付けに使用するネジの数を同じにすることができる。具体的には、本体側ケース４００を直接的に取り付け金具２００に取り付けるときには、中間ブラケット部材３００を取り付け金具２００に取り付ける場合と異なり、金具側係合部２５０を用いずに、本体側挿通孔４５０に挿通されたネジを金具側雌ネジ部２１１に螺合させて固定する。一方、中間ブラケット部材３００を介して本体側ケース４００を取り付け金具２００に取り付ける場合には、本体側挿通孔４５０およびブラケット側挿通孔３５０に挿通されたネジを金具側雌ネジ部２１１に螺合させて固定する。このように、本体側ケース４００を直接的に取り付け金具２００に取り付ける方法を、中間ブラケット部材３００を取り付け金具２００に取り付ける方法と異ならせ、中間ブラケット部材３００を介して本体側ケース４００を取り付け金具２００に取り付ける取り付け方法と同様にすることによって、中間ブラケット部材３００を使用する場合と、使用しない場合とでネジの使用数を同じにすることができ、不要なネジの発生を抑制できる。また、本体側ケース４００を直接的に取り付け金具２００に取り付ける取り付け方法を、中間ブラケット部材３００を介して本体側ケース４００を取り付け金具２００に取り付ける取り付け方法と同様となるため、取り付けの作業性の向上を図ることができる。
【００７７】
Ｂ．変形例：
なお、この発明は上記の実施形態に限られるものではなく、その要旨を逸脱しない範囲において種々の態様において実施することが可能であり、例えば次のような変形も可能である。
【００７８】
Ｂ−１．変形例１：
レバー部３６３と下方側ブラケット外周平面部３１２との間の距離Ｗ１は、配線Ｗの幅以上であってもよい。この場合であっても、レバー部３６３は、レバー部３６３の第１の方向Ｄ１側にブラケット側配線収容部ＷＳが位置するように配置され、ブラケット側配線収容部ＷＳと対向しているため、レバー部３６３が第１の方向Ｄ１に押圧されることを抑制できる。
【００７９】
Ｂ−２．変形例２：
本実施形態の中間ブラケット部材３００は、ネジを使用せずに取り付け金具２００に取り付けることができるものとして説明したが、中間ブラケット部材３００は、ネジを使用して金具２００に取り付けられてもよい。また、本体側ケース４００は、金具側係合部２５０と係合するように構成されていてもよい。
【００８０】
Ｂ−３．変形例３：
金具側係合部２５０とブラケット側係合部３６０との間の係合位置、および、取り付け金具２００の一対の金具側フック部２２０、２３０と一対のブラケット側フック係合部３２０、３３０との間の２つの係合位置が、金具側主面部２０１およびブラケット側主面部３０１のそれぞれにおいて、互いに異なる端辺部に形成されていなくてもよい。
【００８１】
Ｂ−４．変形例４：
本体側ケース４００を直接的に取り付け金具２００に取り付ける取り付け方法と、中間ブラケット部材３００を介して本体側ケース４００を取り付け金具２００に取り付ける取り付け方法とは異なっていてもよい。また、取り付けに使用するネジの数が異なっていてもよい。
【００８２】
Ｂ−５．変形例５：
本発明は、種々の態様で実現することが可能であり、例えば、セキュリティ用通信装置の取り付け構造、取り付け方法、セキュリティ用通信装置の製造方法、セキュリティ用通信装置を含んだセキュリティシステムなどの形態で実現することができる。
【符号の説明】
【００８３】
１０…セキュリティ用通信装置
２０…取り付け面
２１…開口部
１００…本体部
１１０…外側ケース
１１１…外側ケース主面部
１１２…外側ケース外周面部
１２０…内部装置
１２１…アンテナ
１２２…基板部
１２３…電源部
２００…取り付け金具
２０１…金具側主面部
２０２…孔部
２１０…金具側固定部
２１１…金具側雌ネジ部
２２０…第１の金具側フック部
２３０…第２の金具側フック部
２４０…金具側開口部
２５０…金具側係合部
３００…中間ブラケット部材
３０１…ブラケット側主面部
３１０…ブラケット側外周面部
３１１…上方側ブラケット外周平面部
３１２…下方側ブラケット外周平面部
３１３…右側ブラケット外周平面部
３１４…左側ブラケット外周平面部
３１５…溝
３２０…第１のブラケット側フック係合部
３３０…第２のブラケット側フック係合部
３４０…ブラケット側配線用開口部
３５０…ブラケット側挿通孔
３６０…ブラケット側係合部
３６１…板バネ部
３６２…係止爪
３６３…レバー部
３７０…ブラケット側フック部
３８１…ブラケット側移動規制部
４００…本体側ケース
４０１…本体側主面部
４０２…区画部
４１０…本体側外周面部
４１１…上方側本体外周平面部
４１２…下方側本体外周平面部
４１３…右側本体外周平面部
４１４…左側本体外周平面部
４１５…溝
４１６…アンテナ取り出し部
４２０…第１の本体側フック係合部
４３０…第２の本体側フック係合部
４４０…本体側配線用開口部
４５０…本体側挿通孔
４６０…本体側フック用開口部
４８１、４８２…本体側ケース係合部
ＣＰ…切り欠き部
Ｗ…配線
ＭＳ…内部装置収容部
ＳＳ…本体側配線収容部
ＷＳ…ブラケット側配線収容部
【図１】
0006390461.tif 000002
【図２】
0006390461.tif 000003
【図３】
0006390461.tif 000004
【図４】
0006390461.tif 000005
【図５】
0006390461.tif 000006
【図６】
0006390461.tif 000007
【図７】
0006390461.tif 000008
【図８】
0006390461.tif 000009
【図９】
0006390461.tif 000010
【図１０】
0006390461.tif 000011
【図１１】
0006390461.tif 000012
【図１２】
0006390461.tif 000013
【図１３】
0006390461.tif 000014
【図１４】
0006390461.tif 000015
【図１５】
0006390461.tif 000016
【図１６】
0006390461.tif 000017
【図１７】
0006390461.tif 000018
【図１８】
0006390461.tif 000019
【図１９】
0006390461.tif 000020
【図２０】
0006390461.tif 000021
【図２１】
0006390461.tif 000022
【図２２】
0006390461.tif 000023